(57)【特許請求の範囲】
【請求項１】
オブジェクトを画面に表示し、前記オブジェクトに対する入力操作に応答して、前記オブジェクトに対応する所定の動作を研究用植物育成装置に開始させる指示を発生する、研究用植物育成装置のユーザーインターフェース装置において、
第１群のオブジェクトを前記画面に表示可能にして当該オブジェクトに対する入力操作を可能にする第１のユーザーインターフェースモードから、第２群のオブジェクトを前記画面に表示可能にして当該オブジェクトに対する入力操作を可能にする第２のユーザーインターフェースモードへ、前記画面上の表示からは知り得ない前記画面に対する所定の入力操作に応答して、切り換える手段を備え、
電源投入時に前記第１のユーザーインターフェースモードとなり、
登録すべきＩＤ情報を入力するためのＩＤ情報登録用オブジェクトが、前記第１群のオブジェクトには含まれないとともに前記第２群のオブジェクトには含まれ、
照合すべきＩＤ情報を入力するためのＩＤ情報入力用オブジェクトが、前記第１群のオブジェクトに含まれ、
登録すべきＩＤ情報を記憶するＩＤ情報記憶手段と、
前記第２のユーザーインターフェースモードにおいて、前記ＩＤ情報登録用オブジェクトに対するＩＤ情報の入力操作に応答して、当該入力されたＩＤ情報を前記ＩＤ情報記憶手段に記憶させるＩＤ情報登録処理部と、
前記第１のユーザーインターフェースモードにおいて、前記ＩＤ情報入力用オブジェクトに対するＩＤ情報の入力操作に応答して、当該入力されたＩＤ情報を前記ＩＤ情報記憶手段に記憶されたＩＤ情報と照合して両者が一致するか否かを判定する照合手段と、
前記第１のユーザーインターフェースモードにおいて、前記照合手段により一致すると判定された場合にのみ、前記第１群のオブジェクトのうちの前記研究用植物育成装置の運転状態に影響を与えるオブジェクトに対する入力操作を有効にする手段と、
を備えたことを特徴とする研究用植物育成装置のユーザーインターフェース装置。
【請求項２】
前記第１群のオブジェクトが、前記第１群のオブジェクトのうちの前記研究用植物育成装置の運転状態に影響を与えるオブジェクトに対する入力操作を強制的に無効にするか又は当該オブジェクトの表示を強制的に禁止するための入力操作を行うための強制無効用オブジェクトを含み、
前記第１のユーザーインターフェースモードにおいて、前記強制無効用オブジェクトに対する入力操作に応答して、前記第１群のオブジェクトのうちの前記研究用植物育成装置の運転状態に影響を与えるオブジェクトに対する入力操作を強制的に無効にするか又は当該オブジェクトの表示を強制的に禁止する手段を備えたことを特徴とする請求項１記載の研究用植物育成装置のユーザーインターフェース装置。
【請求項３】
前記第１のユーザーインターフェースモードにおいて、前記第１群のオブジェクトのうちの前記研究用植物育成装置の運転状態に影響を与えるオブジェクトに対する入力操作が有効になった後に、前記第１群のオブジェクトに対して所定の入力操作が所定時間行われない場合に、前記第１群のオブジェクトのうちの前記研究用植物育成装置の運転状態に影響を与えるオブジェクトに対する入力操作を無効にするか又は当該オブジェクトの表示を禁止する手段を備えたことを特徴とする請求項１又は２記載の研究用植物育成装置のユーザーインターフェース装置。
【請求項４】
画面表示及び入力操作が可能なタッチパネルを有することを特徴とする請求項１乃至３のいずれかに記載の研究用植物育成装置のユーザーインターフェース装置。
【発明の詳細な説明】
【０００１】
【発明の属する技術分野】
本発明は、植物の育種又は栽培など、農学の研究、実験に使用する研究用植物育成装置に関するものである。
【０００２】
【従来の技術】
研究用植物育成装置は、植物の環境因子である温度及び湿度など（必要に応じて、照明光、ＣＯ2濃度なども）を人為的に厳密に制御した環境下で植物を育成するために使用する装置である。そして、研究用植物育成装置は、一般的に、育成室と、該育成室内の環境因子を決めるように作動する冷凍機、電気ヒータ、加湿器、送風機、ランプ等の照明装置、ＣＯ2供給装置などの駆動装置と、温度センサ、湿度センサ、ＣＯ2センサなどの環境因子検出用の検出器と、前記検出器からの検出信号に基づいて前記育成室内が所望の環境となるように前記駆動装置を制御したり、試運転を行うように前記駆動装置を制御したりする調節計と、を備えている。また、研究用植物育成装置は、使用者が当該装置に対して各種の指示を与えるためのユーザーインターフェース装置を有している。
【０００３】
このような研究用植物育成装置では、当該装置を用いて植物を育成する育成者等の本来のユーザーが、前記ユーザインターフェース装置を操作して、時間経過に応じた自己が望む環境因子の値（すなわち、運転パターン）を設定したり、当該運転パターンに従った運転を開始及び停止させたりできるように構成されている。
【０００４】
従来の研究用植物育成装置のユーザーインターフェース装置は、植物の育成者等の本来のユーザーのみならず、いずれの人であっても、当該ユーザーインターフェース装置に対して入力操作を行うことが可能であり、その入力操作に応じて研究用植物育成装置が所定の動作を開始するように構成されていた。
【０００５】
【発明が解決しようとする課題】
しかしながら、前記従来の研究用植物育成装置のユーザーインターフェース装置のように、いずれの人であっても入力操作が可能でしかもその入力操作に応じて研究用植物育成装置が所定の動作を開始してしまうと、操作方法を十分に習得していない者による誤操作や第三者によるいたずらの操作などによって、当該操作に忠実に研究用植物育成装置が動作することから、育成者等の本来のユーザーが望む育成環境を実現することができなくなってしまう。研究用植物育成装置を用いて植物を育成し所望の農学の研究を行うためには、長期間（例えば、数ヶ月から数年）に渡って前記環境因子を厳密に制御し続けなければならないが、このような誤操作やいたずらによる操作が行われてしまうと、所望の条件下で植物を育成することができなくなり、当該研究の目的を達成することができず、長期間に渡り費やした労力及び費用等が全く無駄になってしまったり、再び得ることができないような稀少な植物が枯死してしまったりする。
【０００６】
本発明は、このような事情に鑑みてなされたもので、操作方法を十分に習得していない者による誤操作や第三者によるいたずらの操作などによって所望の環境下で植物を育成することができないという事態を未然に防止することができる植物育成装置のユーザーインターフェース装置を提供することを目的とする。
【０００７】
【課題を解決するための手段】
前記課題を解決するため、本発明の第１の態様による研究用植物育成装置のユーザーインターフェース装置は、主入力手段に対する入力操作に応答して、研究用植物育成装置に所定の動作を開始させる指示を与える研究用植物育成装置のユーザーインターフェース装置において、登録すべきＩＤ情報を記憶するＩＤ情報記憶手段と、前記ＩＤ情報記憶手段に登録すべきＩＤ情報を記憶させるＩＤ情報登録手段と、照合すべきＩＤ情報を入力するＩＤ情報入力手段と、前記ＩＤ情報入力手段により入力されたＩＤ情報を前記ＩＤ情報記憶手段に記憶されたＩＤ情報と照合して両者が一致するか否かを判定する照合手段と、前記照合手段により一致すると判定された場合にのみ、前記研究用植物育成装置の運転状態に影響を与える前記主入力手段に対する入力操作を有効にする手段と、を備えたものである。
【０００８】
この第１の態様によれば、メーカー等が、予めＩＤ情報登録手段により所定のＩＤ情報をＩＤ情報記憶手段に記憶させて登録しておき、当該登録したＩＤ情報を植物の育成者等の本来のユーザーにのみ知らせておく。当該ユーザーは、研究用植物育成装置の使用に際して、登録されたＩＤ情報をＩＤ情報入力手段により入力する。この場合、ＩＤ情報入力手段により入力されたＩＤ情報はＩＤ情報記憶手段に記憶されたＩＤ情報と一致するので、照合手段により両者が一致すると判定され、研究用植物育成装置の運転状態に影響を与える主入力手段に対する入力操作が有効となり、いわば入力操作に対するロックが解除された状態となる。したがって、登録されたＩＤ情報を知っている本来のユーザーは、研究用植物育成装置に対して、研究用植物育成装置の運転に影響を与える動作を含む所望の動作を開始させることが可能である。一方、操作方法を十分に習得していない者やいたずらを行う第三者等の、登録されたＩＤ情報を知らない者は、登録されたＩＤ情報をＩＤ情報入力手段により入力し得ないことから、たとえＩＤ情報入力手段により何らかのＩＤ情報が入力されても、当該ＩＤ情報はＩＤ情報記憶手段に記憶されたＩＤ情報と一致しないので、照合手段により両者が一致しないと判定され、研究用植物育成装置の運転状態に影響を与える主入力手段に対する入力操作が有効とならず、いわば入力操作がロックされた状態となる。したがって、操作方法を十分に習得していない者やいたずらを行う第三者等は、研究用植物育成装置に対して、研究用植物育成装置の運転に影響を与える動作を開始させることができない。その結果、前記第１の態様によれば、操作方法を十分に習得していない者による誤操作や第三者によるいたずらの操作などによって所望の環境下で植物を育成することができないという事態を未然に防止することができる。
【０００９】
本発明の第２の態様による研究用植物育成装置のユーザーインターフェース装置は、前記第１の態様によるユーザーインターフェース装置において、前記研究用植物育成装置の運転状態に影響を与える前記主入力手段に対する前記入力操作を強制的に無効又は不能にするための指示を入力する強制無効入力手段と、前記強制無効入力手段に対する入力操作に応答して、前記研究用植物育成装置の運転状態に影響を与える前記主入力手段に対する前記入力操作を強制的に無効又は不能にする手段と、を備えたものである。
【００１０】
この第２の態様によれば、入力操作のロック状態が一旦解除された後に、ユーザーが望む任意の時点で再びロック状態にすることができるので、好ましい。
【００１１】
本発明の第３の態様による研究用植物育成装置のユーザーインターフェース装置は、前記第１又は第２の態様によるユーザーインターフェース装置において、前記研究用植物育成装置の運転状態に影響を与える前記主入力手段に対する前記入力操作が有効になった後に、前記主入力手段に対して所定の入力操作が所定時間行われない場合に、前記研究用植物育成装置の運転状態に影響を与える前記主入力手段に対する入力操作を無効又は不能にする手段を備えたものである。
【００１２】
この第３の態様によれば、入力操作のロック状態が一旦解除された後に、所定の入力操作が所定時間行われない場合に、自動的にロック状態に戻るので、好ましい。
【００１３】
本発明の第４の態様による研究用植物育成装置のユーザーインターフェース装置は、オブジェクトを画面に表示し、前記オブジェクトに対する入力操作に応答して、前記オブジェクトに対応する所定の動作を研究用植物育成装置に開始させる指示を発生する、研究用植物育成装置のユーザーインターフェース装置において、第１群のオブジェクトを前記画面に表示可能にして当該オブジェクトに対する入力操作を可能にする第１のユーザーインターフェースモードから、第２群のオブジェクトを前記画面に表示可能にして当該オブジェクトに対する入力操作を可能にする第２のユーザーインターフェースモードへ、前記画面上の表示からは知り得ない前記画面に対する所定の入力操作に応答して、切り換える手段を備え、電源投入時に前記第１のユーザーインターフェースモードとなり、登録すべきＩＤ情報を入力するためのＩＤ情報登録用オブジェクトが、前記第１群のオブジェクトには含まれないとともに前記第２群のオブジェクトには含まれ、照合すべきＩＤ情報を入力するためのＩＤ情報入力用オブジェクトが、前記第１群のオブジェクトに含まれ、登録すべきＩＤ情報を記憶するＩＤ情報記憶手段と、前記第２のユーザーインターフェースモードにおいて、前記ＩＤ情報登録用オブジェクトに対するＩＤ情報の入力操作に応答して、当該入力されたＩＤ情報を前記ＩＤ情報記憶手段に記憶させるＩＤ情報登録処理部と、前記第１のユーザーインターフェースモードにおいて、前記ＩＤ情報入力用オブジェクトに対するＩＤ情報の入力操作に応答して、当該入力されたＩＤ情報を前記ＩＤ情報記憶手段に記憶されたＩＤ情報と照合して両者が一致するか否かを判定する照合手段と、前記第１のユーザーインターフェースモードにおいて、前記照合手段により一致すると判定された場合にのみ、前記第１群のオブジェクトのうちの前記研究用植物育成装置の運転状態に影響を与えるオブジェクトに対する入力操作を有効にする手段と、を備えたものである。
【００１４】
この第４の態様によれば、電源投入時には第１群のオブジェクトを表示可能にして入力操作可能とする第１のユーザーインターフェースモードとなり、画面上からは知り得ない画面に対する所定の入力操作、すなわち、画面隠し操作が行われたときにのみ、前記第２群のオブジェクトを表示可能にして入力操作可能とする第２のユーザーインターフェースモードとなる。登録すべきＩＤ情報を入力するためのＩＤ情報登録用オブジェクトが、前記第１群のオブジェクトには含まれないとともに前記第２群のオブジェクトには含まれ、ＩＤ情報の登録は第２のユーザーインターフェースモードのみで可能となる。したがって、前記画面隠し操作をメーカー等のみが知るようにしておけば、第三者にＩＤ情報を知られるおそれなく、メーカー等が第２のユーザーインターフェースモードにおいてＩＤ情報の登録を行うことができる。そして、登録されたＩＤ情報を知っている植物の育成者等の本来のユーザーは、第１のユーザーインターフェースモードにおいて、前記第１の態様と同様に、入力操作のロック状態を解除することができる一方、操作方法を十分に習得していない者やいたずらを行う第三者等の、登録されたＩＤ情報を知らない者は、入力操作のロック状態を解除することができない。したがって、前記第１の態様と同様に、操作方法を十分に習得していない者による誤操作や第三者によるいたずらの操作などによって所望の環境下で植物を育成することができないという事態を未然に防止することができる。
【００１５】
なお、前記第４の態様によれば、前記第１群のオブジェクトを植物の育成者等である本来のユーザーが操作するオブジェクトとし、前記第１群のオブジェクトにはメーカー等のみが操作するオブジェクトを含まないようにするとともに、前記第２群のオブジェクトには少なくともメーカー等のみが操作するオブジェクトを含むようにし、前記画面隠し操作をメーカー等のみが知るようにしておけば、植物の育成者等の本来のユーザーが、メーカー等のみが行う操作を誤って行ってしまうおそれがなくなる。このため、誤操作により所望の環境下で植物を育成することができないという事態を未然に防止することができる。また、前記画面隠し操作を行わない限り、第１のユーザーインターフェースモードのままであって前記第２群のオブジェクトは表示され得ないので、植物の育成者等の本来のユーザーは、メーカー等のみが操作すべき不要で邪魔なオブジェクトに接することはなく、植物の育成者等の本来のユーザーにとって操作方法の習得が容易となる。
【００１６】
本発明の第５の態様による研究用植物育成装置のユーザーインターフェース装置は、前記第４の態様によるユーザーインターフェース装置において、前記第１群のオブジェクトが、前記第１群のオブジェクトのうちの前記研究用植物育成装置の運転状態に影響を与えるオブジェクトに対する入力操作を強制的に無効にするか又は当該オブジェクトの表示を強制的に禁止するための入力操作を行うための強制無効用オブジェクトを含み、前記第１のユーザーインターフェースモードにおいて、前記強制無効用オブジェクトに対する入力操作に応答して、前記第１群のオブジェクトのうちの前記研究用植物育成装置の運転状態に影響を与えるオブジェクトに対する入力操作を強制的に無効にするか又は当該オブジェクトの表示を強制的に禁止する手段を備えたものである。
【００１７】
この第５の態様によっても、前記第２の態様と同様に、入力操作のロック状態が一旦解除された後に、ユーザーが望む任意の時点で再びロック状態にすることができるので、好ましい。
【００１８】
本発明の第６の態様による研究用植物育成装置のユーザーインターフェース装置は、前記第４又は第５の態様によるユーザーインターフェース装置において、前記第１のユーザーインターフェースモードにおいて、前記第１群のオブジェクトのうちの前記研究用植物育成装置の運転状態に影響を与えるオブジェクトに対する入力操作が有効になった後に、前記第１群のオブジェクトに対して所定の入力操作が所定時間行われない場合に、前記第１群のオブジェクトのうちの前記研究用植物育成装置の運転状態に影響を与えるオブジェクトに対する入力操作を無効にするか又は当該オブジェクトの表示を禁止する手段を備えたものである。
【００１９】
この第６の態様によっても、入力操作のロック状態が一旦解除された後に、所定の入力操作が所定時間行われない場合に、自動的にロック状態に戻るので、好ましい。
【００２０】
本発明の第７の態様による研究用植物育成装置のユーザーインターフェース装置は、前記第４乃至第６のいずれかの態様によるユーザーインターフェース装置において、画面表示及び入力操作が可能なタッチパネルを有するものである。
【００２１】
この第７の態様のように、画面表示及び入力操作が可能なタッチパネルを用いると、画面表示部と入力操作部とが当該タッチパネルにより兼用され、設置スペースを少なくすることができるなどの利点が得られるが、前記第４乃至第６の態様では、タッチパネルを用いずに、互いに独立した画面表示部及び入力操作部を用いてもよい。
【００２２】
【発明の実施の形態】
以下、本発明の一実施の形態によるユーザーインターフェース装置について、図面を参照して説明する。
【００２３】
まず、本実施の形態によるユーザーインターフェース装置を有する研究用植物育成装置の一例について、図１及び図２を参照して説明する。図１は、本例による研究用植物育成装置を示す概略縦断面図である。図２は、本例による研究用植物育成装置を示すブロック図である。
【００２４】
本例による研究用植物育成装置は、図１に示すように、植物Ｓが収容される育成室１及び該育成室１の上部に形成されたランプ室２を備えている。育成室１は、本体３内において底板４及び側壁５によって仕切られるとともに、天井部分に装着された透明なガラス板６によってランプ室２とは遮断された構造を有している。育成室１を形成する少なくとも対向する２つの側壁５のうちの一方には多数の孔からなる空気吹出部７が構成され、他方には多数の孔からなる空気吸込部８が構成されている。本体３内における育成室１の外側において、空気吹出部７と空気吸込部８との間を接続する空気通路９が形成されている。この空気通路９における育成室１下部の部分が機械室１０を構成している。
【００２５】
前記機械室１０には、冷凍機１１を構成する冷却コイル１１ａ、ヒーター装置１２、送風機１３、ＣＯ2供給装置１４の供給口１４ａ及び加湿器１５の加湿ノズル１５ａが配置されている。ＣＯ2供給装置１４は、図面には示していないが、ＣＯ2ガスボンベ及び該ガスボンベと供給口１４ａとを接続する管路の途中に設けられた電磁弁からなる本体１４ｂを有しており、該本体１４ｂは、前記本体３の外部に配置されている。また、冷凍機１１の本体１１ｂ及び加湿器１５の本体１５ｂも、前記本体３の外部に配置されている。なお、冷凍機１１を構成する冷却コイル１１ａ、ヒーター装置１２、送風機１３、ＣＯ2供給装置１４の供給口１４ａ及び加湿器１５の加湿ノズル１５ａを、前記本体３の外部に配置することも可能である。
【００２６】
前記ランプ室２内には、ガラス板６を介して育成室１内を照明する人工光源となる照明装置１６を構成する複数のランプ１６ａが配置されている。また、図１において、２０ａはランプ室２用の冷凍機２０の冷却コイル、１９は該冷却コイル２０ａを介してランプ室２内の空気を循環させるランプ室２用の送風機であり、これらにより、ランプ室２内の温度上昇を抑えることができるようになっている。なお、冷凍機２０及び送風機１９を取り除き、ランプ室２の側壁に外気を導入するための外気導入口を設けるとともにランプ室２の天井にランプ室２内の空気を外部に排気する排気口を設け、外気を前記外気導入口から送風機にて強制的にランプ室２内に導入し当該空気をランプ室２を流通させて前記排気口から外部に排気するようにしてもよく、この場合にもランプ室２内の温度上昇を抑えることができる。また、本発明では、照明装置１６に代えて、太陽光を利用するように構成してもよい。
【００２７】
本例では、冷凍機１１、ヒーター装置１２、送風機１３、ＣＯ2供給装置１４及び加湿器１５によって、空気通路９内を流通する空気の温度、ＣＯ2濃度及び湿度が決定され、この空気が空気吹出部７から育成室１内に吹き出され、育成室１を流通した後、空気吸込部８から空気通路９に排気されることになる。一方、照明装置１６により照明光が育成室１内に照射される。なお、送風機１９によりランプ室２内において循環された空気が冷凍機２０により冷却される。これにより、ランプ１６の発熱が育成室１内の温度に対して影響を与えなくなる。以上の説明からわかるように、本例では、冷凍機１１、ヒーター装置１２、送風機１３、ＣＯ2供給装置１４、加湿器１５及び照明装置１６が、育成室１内の環境因子を決めるように作動する駆動手段を構成している。もっとも、本発明では、必ずしも、ＣＯ2供給装置１４等を設ける必要はないし、太陽光を利用すれば照明装置１６も設ける必要はない。
【００２８】
図面には示していないが、本例では、冷凍機１１、ヒーター装置１２、送風機１３、加湿器１５、ランプ室２用の送風機１９、ランプ室２用の冷凍機２０はそれぞれ、異常検出信号を出力するように構成されている。例えば、冷凍機１１は、冷媒圧力の異常を示す信号、過熱状態にあることを示す信号及び過負荷状態にあることを示す信号を、それぞれ異常検出信号として出力し、ヒーター装置１２は、過熱状態にあることを示す信号を異常検出信号として出力する。
【００２９】
また、本例では、前記空気通路９における空気吸込口８の付近には、育成室１内の環境因子としての温度、湿度及びＣＯ2濃度を間接的に検出するための温度センサ２１、湿度センサ２２、ＣＯ2濃度センサ２３が配置されている。ランプ室２内には、ランプ室２内の温度を検出するための温度センサ２４が配置されている。
【００３０】
そして、本例による研究用植物育成装置は、図２に示すように、調節計２５と、画面表示及び入力操作が可能なタッチパネル２６とを備えている。このように、タッチパネル２６を用いると、画面表示部と入力操作部とが当該タッチパネル２６により兼用され、設置スペースを少なくすることができるので、好ましい。もっとも、本発明では、タッチパネル２６を用いずに、互いに独立した画面表示部及び入力操作部を用いてもよい。
【００３１】
前記調節計２５は、機能的には、タッチパネル２６からの操作信号及び後述する表示制御部２８からのタッチパネル２６上の画面の状態を示す信号に基づいてタッチパネル２６に対する入力操作を解析し、解析結果に応じて、後述する処理部２９に所定の動作を開始させる指示を与えたり表示制御部２８に表示内容を切り換える指示を与えたりＩＤ番号登録処理部５０やロック制御部５１に所定の指示を与えたりする入力操作解析部２７と、該入力操作解析部２７からの指示及び処理部２９から与えられる表示データに基づいてタッチパネル２６に表示制御信号を与えてその画面にオブジェクト等の所定の表示内容を表示させる表示制御部２８と、入力操作解析部２７からの指示に応答して後述する制御や異常監視などの各種処理を行う処理部２９と、入力操作解析部２７からの指示に応答してＩＤ情報としてのＩＤ番号の登録処理を行うＩＤ番号登録処理部５０と、後述するロック制御を行うロック制御部５１と、を有している。具体的には、調節計２５は、図示しないＣＰＵや入出力回路等、更にはメモリ５２，５３を用いて構成することができる。なお、メモリ５２，５３は単一のメモリで兼用してもよいことは勿論である。
【００３２】
本実施の形態では、前記タッチパネル２６、前記調節計２５の入力操作解析部２７としての機能、前記調節計２５の表示制御部２８としての機能、ＩＤ番号登録処理部５０としての機能及びロック制御部５１としての機能、並びにメモり５２が、オブジェクトを画面に表示し、前記オブジェクトに対する入力操作に応答して、前記オブジェクトに対応する所定の動作を研究用植物育成装置に開始させる指示を発生する、研究用植物育成装置のユーザーインターフェース装置を構成している。
【００３３】
次に、本実施の形態によるユーザーインターフェース装置について、図２乃至図５を参照して説明する。図３は、本実施の形態によるユーザーインターフェース装置のモード遷移図である。図４（ａ）はユーザーモードにおけるメインメニュー画面（本装置のメインメニュー画面でもある。）であってロック状態のメインメニュー画面の一例を示す図、図４（ｂ）はユーザーモードにおける解除状態のメインメニュー画面の一例を示す図、図４（ｃ）はメーカーモードにおけるメインメニュー画面の一例を示す図である。
【００３４】
本実施の形態によるユーザーインターフェース装置では、図３に示すように、電源投入時には、第１群のオブジェクトをタッチパネル２６の画面に表示可能にして当該オブジェクトに対する入力操作を可能にする第１のユーザーインターフェースモードとしてのユーザーモードとなる。すなわち、ロック制御部５１は電源投入に応答して表示制御部２８及び入力操作部にロック指令を与え、表示制御部２８は、電源投入及び前記ロック指令に応答して、タッチパネル２６上に図４（ａ）に示すメニュー画面を表示させる。図４（ａ）に示すメニュー画面は前記ユーザーモードのいわば初期画面であり、後述するようにロック状態となっている。前記ユーザーモードにおいて、後述するようにロックが解除された解除状態となると、タッチパネル２６上に図４（ｂ）に示すメニュー画面が表示される。なお、本実施の形態では、ユーザーモードにおいてオブジェクトの全てが同時に表示されるわけではなく、これらのオブジェクトは階層的に画面上に表示されるようになっている。
【００３５】
図４（ａ）及び図４（ｂ）において、３０は「スイッチ」に関する操作を選択するオブジェクトとしてのキー、３１は「制御表示」を選択するオブジェクトとしてのキー、３２は「プログラムセット」に関する操作を選択するオブジェクトとしてのキー、３３は「異常表示」を選択するオブジェクトとしてのキー、３４は「時刻修正」に関する操作を選択するオブジェクトとしてのキー、３５は「ＩＤ入力」に関する操作を選択するオブジェクトとしてのキーである。図４（ａ）において、３８は、現在の状態がロック状態にあることを示す単なる表示であって、入力操作のためのオブジェクトではない。一方、図４（ｂ）において、３９は、強制的にロック状態にするための入力操作を行うためのオブジェクトとしてのキーであり、該キー３９中の「解除」は現在の状態が解除状態であることを示している。各キーを押し下げたときの動作については、後述する。なお、図４（ａ）及び図４（ｂ）において、右下のハッチング領域３６は、単に画面上の領域を示しており、実際には画面上に表示されない。
【００３６】
本実施の形態では、以下の説明からわかるように、ユーザーインターフェースモードにおけるロック状態のメインメニュー画面である図４（ａ）に示す画面では、「ＩＤ入力」に関する操作を選択するキー３５に対する入力操作が有効であるとともに他のキー３０〜３４に対する入力操作は無効となる。一方、ユーザーインターフェースモードにおける解除状態のメインメニュー画面である図４（ｂ）に示すメニュー画面では、全てのキー３０〜３５，３９に対する入力操作が有効となる。
【００３７】
そして、本実施の形態によるユーザーインターフェース装置では、図３に示すように、前記ユーザーモードにおける図４（ａ）又は図４（ｂ）に示すメインメニュー画面が表示されているときに、タッチパネル２６の画面からは知り得ない当該画面に対する所定の入力操作（画面隠し操作）である前記ハッチング領域３６を所定時間間隔内において連続して３回押し下げる操作に応答して、前記ユーザーモードから、第２群のオブジェクトをタッチパネル２６の画面に表示可能にして当該オブジェクトに対する入力操作を可能にする第２のユーザーインターフェースモードとしてのメーカーモードとなる。すなわち、図４（ａ）又は図４（ｂ）に示すメインメニュー画面が表示されているときに、前記ハッチング領域３６が所定時間間隔内において連続して３回押し下げられると、入力操作解析部２７はその旨の指示を表示制御部２８に与え、表示制御部２８は、これに応答して、タッチパネル２６上に図４（ｃ）に示すメニュー画面を表示させる。なお、本実施の形態では、メーカーモードにおいてもオブジェクトの全てが同時に表示されるわけではなく、これらのオブジェクトは階層的に画面上に表示されるようになっている。なお、前記画面隠し操作は、メーカー等のみが知っており、植物の育成者等の本来のユーザーには知らせない。以上の説明からわかるように、本実施の形態では、入力操作解析部２７及び表示制御部２８が、前記画面隠し操作に応答して前記ユーザーモードから前記メーカーモードへ切り換える手段を構成している。
【００３８】
図４（ｃ）において、４０は「スイッチ」に関する操作を選択するオブジェクトとしてのキー、４１は「制御表示」を選択するオブジェクトとしてのキー、４２は「プログラムセット」に関する操作を選択するオブジェクトとしてのキー、４３は「異常表示」を選択するオブジェクトとしてのキー、４４は「時刻修正」に関する操作を選択するオブジェクトとしてのキー、４５は「イベント」に関する操作を選択するオブジェクトとしてのキー、４６は「セットアップ」に関する操作を選択するオブジェクトとしてのキー、４７は「試運転」に関する操作を選択するオブジェクトとしてのキー、４８は「自己診断」に関する操作を選択するオブジェクトとしてのキー、４９は「メインメニュー」に戻る操作を行うオブジェクトとしてのキーである。これらのキーを押し下げたときの動作については、後述する。
【００３９】
本実施の形態によるユーザーインターフェース装置では、図３に示すように、前記メーカーモードにおける図４（ｃ）に示すメニュー画面が表示されているときに、メインメニューキー操作（キー４９を押し下げる操作）に応答して、前記メーカーモードから前記ユーザーモードに復帰する。すなわち、図４（ｃ）に示すメニュー画面が表示されているときに、キー４９が押し下げられると、入力操作解析部２７はその旨の指示を表示制御部２８及びロック制御部５１に与え、ロック制御部５１はこの指示に応答してロック指令を入力操作解析部２７及び表示制御部２８に与え、表示制御部２８は、入力操作解析部２７からの前記指示及びロック制御部５１からのロック指令に応答して、タッチパネル２６上に図４（ａ）に示すメニュー画面を表示させる。なお、図４（ｃ）のメニュー画面においてキー４９を表示せずに、図４（ｃ）のメニュー画面が表示されているときに前記画面隠し操作に応答してユーザーモードに復帰するようにしてもよい。また、装置の電源を一旦オフにして再投入すれば前記ユーザーモードとなるので、必ずしも、タッチパネル２６による画面操作（キー４９の操作や画面隠し操作）によってユーザーモードに復帰するようにしておかなくてもよい。
【００４０】
ここで、オブジェクトである前述した各キーの意味と当該キーを操作したときの動作について、説明する。本実施の形態では、前記ユーザーモードの解除状態における図４（ｂ）に示すメインメニュー画面中の各キー３０，３１，３２，３３，３４と、前記メーカーモードにおける図４（ｃ）に示すメニュー画面中の各キー４０，４１，４２，４３，４４とは、それぞれ同一の動作に対応している。ただし、これらのキーを押し下げると、下位の階層の画面（図示せず）がタッチパネル２６上に表示され、当該下位の画面中に、メニューに戻る操作を行うオブジェクトとしてのキー（図示せず）が表示されるが、ユーザーモードにおいて当該下位の階層の画面の当該キーを押し下げると図４（ｂ）に示すメインメニュー画面に戻るとともに、メーカーモードにおいて当該下位の階層の画面の当該キーを押し下げると図４（ｃ）に示すメニュー画面に戻るようになっている。また、図４（ａ）に示す画面においてキー３５を押し下げると、下位の階層の画面（図示せず）がタッチパネル２６上に表示され、当該下位の階層の画面にメニューに戻る操作を行うオブジェクトとしてのキー（図示せず）が表示されるが、当該下位の階層の画面の当該キーを押し下げると、ロック状態又は解除状態に応じて図４（ａ）又は図４（ｂ）に示すメインメニュー画面に戻るようになっている。
【００４１】
図４（ｂ）、図４（ｃ）に示す画面がタッチパネル２６上に表示されているときに、キー３０，４０を押し下げると、図面には示していないが、プログラム制御（メモリ５３に予め格納された所望の運転パターン（時間経過に応じた所望の環境因子の値）に従った制御）による運転を開始させるキーや当該運転を停止させるキーを含む下位の階層の画面（図示せず）が、タッチパネル２６上に表示される。このとき、運転開始キーが押し下げられると、その指示が入力操作解析部２７から処理部２９に与えられ、処理部２９は、温度センサ２１、湿度センサ２２、ＣＯ2濃度センサ２３及びランプ室２用の温度センサ２４からの検出信号に基づいて、育成室１内が前記運転パターンに応じた環境となるように、冷凍機１１、ヒーター装置１２、送風機１３、ＣＯ2供給装置１４、加湿器１５、照明装置１６、ランプ室２用の送風機１９、ランプ室２用の冷凍機２０を制御する。一方、停止キーが押し下げられると、その指示が入力操作解析部２７から処理部２９に与えられ、処理部２９は当該運転を停止させる。
【００４２】
図４（ｂ）、図４（ｃ）に示す画面がタッチパネル２６上に表示されているときに、キー３１，４１を押し下げると、図面には示していないが、プログラム制御運転における現在の制御状態を示す画面がタッチパネル２６上に表示される。この表示は、キー３１，４１に応答して入力操作解析部２７がその指示を処理部２９及び表示制御部２８に与え、処理部２９が表示制御部２８に当該画面表示に必要な表示データを与えるように動作し、表示制御部２８が当該画面表示を行わせるようにタッチパネル２６を表示制御することによって、行われる。
【００４３】
図４（ｂ）、図４（ｃ）に示す画面がタッチパネル２６上に表示されているときに、キー３２，４２を押し下げると、図面には示していないが、プログラム制御のための前記運転パターン（時間経過に応じた所望の環境因子の値）を設定するためのキー等のオブジェクトを含む下位の階層の画面が、タッチパネル２６上に表示される。このとき、当該キー等により運転パターンが入力されると、その運転パターンを示すデータを含む指示が入力操作解析部２７から処理部２９に与えられ、処理部２９は、当該運転パターンをメモリ５３内に格納させる。
【００４４】
図４（ｂ）、図４（ｃ）に示す画面がタッチパネル２６上に表示されているときに、キー３３，４３を押し下げると、図面には示していないが、現在及び過去の異常の種類と発生時刻等を示す異常データを示す画面がタッチパネル２６上に表示される。この表示は、キー３３，４３に応答して入力操作解析部２７がその指示を処理部２９及び表示制御部２８に与え、処理部２９がメモリ５３内に格納されている異常データを表示データとして表示制御部２８に与えるように動作し、表示制御部２８が当該画面表示を行わせるようにタッチパネル２６を表示制御することによって、行われる。なお、処理部２９は、運転中に自動的に、冷凍機１１、ヒーター装置１２、送風機１３、加湿器１５、ランプ室２用の送風機１９及びランプ室２用の冷凍機２０からの異常信号等を監視し、異常の種類と発生時刻等を示す異常データをメモリ５３内に格納させるように動作する。
【００４５】
図４（ｂ）、図４（ｃ）に示す画面がタッチパネル２６上に表示されているときに、キー３４，４４を押し下げると、図面には示していないが、時刻を修正するためのキー等のオブジェクトを含む下位の階層の画面が、タッチパネル２６上に表示される。このとき、当該キー等により修正した時刻が入力されると、その修正時刻を示すデータを含む指示が入力操作解析部２７から処理部２９に与えられ、時刻が修正される。なお、処理部２９はタイマー機能を有している。
【００４６】
図４（ａ）中のキー３５は、前記ユーザーモードに固有のオブジェクトである。図４（ａ）に示す画面がタッチパネル２６上に表示されているときに、キー３５を押し下げると、図面には示していないが、当該植物育成装置を使用することを許可されている者にのみ予め与えられたＩＤ番号（照合すべきＩＤ番号）を入力するためのキー等のオブジェクト（ＩＤ番号入力用オブジェクト）を含む下位の階層の画面が、タッチパネル２６上に表示される。このとき、当該キー等によりＩＤ番号が入力されると、入力操作解析部２７はそのＩＤ番号を含む指示をロック制御部５１に与え、ロック制御部５１は、当該入力されたＩＤ番号とメモリ５２内に予め格納されたＩＤ番号とを照合して操作者が使用を許可された者か否かを判定する。許可された者であれば、ロック制御部５１は、解除信号を入力操作解析部２７及び表示制御部２８に与え、表示制御部２８はこれに応答して、図４（ｂ）に示す画面をタッチパネル２６上に表示させる。一方、許可された者でなければ、ロック制御部５１はロック指令を入力操作解析部２７及び表示制御部２８に与えて続ける。
【００４７】
図４（ｂ）中のキー３９も、前記ユーザーモードに固有のオブジェクトである。図４（ｂ）に示す画面がタッチパネル２６上に表示されているときに、キー３９を押し下げると、その指示が入力操作解析部２７からロック制御部５１に与えられ、ロック制御部５１は、これに応答して、今まで与えていた解除指令に代えてロック指令を入力操作解析部２７及び表示制御部２８に与える。これに応答して、表示制御部２８はタッチパネル２６上に図４（ａ）に示す画面を表示させ、入力操作解析部２７はキー３０〜３４に対する入力操作を無視する。
【００４８】
一方、図４（ｃ）中のキー４５〜４９は、前記メーカーモードに固有のオブジェクトである。キー４９を押し下げたときの動作は、既に説明した。
【００４９】
図４（ｃ）に示す画面がタッチパネル２６上に表示されているときに、キー４５を押し下げると、図面には示していないが、イベント出力を設定するためのキー等のオブジェクトを含む下位の階層の画面が、タッチパネル２６上に表示される。イベント出力は、接点出力であり、当該接点出力をいかなる状態のときに「開」又は「閉」にするかを設定できるようになっている。例えば、育成室１内の温度、湿度又はＣＯ2濃度が所望の値を下回るときや上回るときに、イベント出力が「開」又は「閉」となるように、設定できるようになっている。このイベント出力は、他の装置を制御するため等に用いることができる。前記下位の階層の画面が表示されているときに、当該画面中のキー等を操作してイベント出力の設定データを入力すると、入力操作解析部２７がその設定データを含む指示を処理部２９に与え、処理部２９は当該設定データをメモリ５３内に格納させる。また、処理部２９は、運転中に自動的に、メモリ５３内に格納された設定データに従ってイベント出力を制御する。
【００５０】
図４（ｃ）に示す画面がタッチパネル２６上に表示されているときに、キー４６を押し下げると、図面には示していないが、各種の設定を行うためのキー等のオブジェクトを含む下位の階層の画面が、タッチパネル２６上に表示される。この設定項目としては、例えば、冷凍機１１、ヒータ装置１２、ＣＯ2供給装置１４及び加湿器１５等の制御特性に関する制御パラメータ、制御サイクル時間及び制御設定値範囲や、許可すべき前記ＩＤ番号などがある。これらの設定値はメモリ５３内に格納される。ただし、登録されたＩＤ番号はメモリ５２内に格納される。例えば、制御に関する設定値等は装置の運転時に処理部２９により参照される。
【００５１】
なお、図４（ｃ）に示す画面がタッチパネル２６上に表示されているときに、キー４６を押し下げ、更に、タッチパネル２６上に表示された下位の階層の画面の所定のオブジェクト（ＩＤ番号登録用オブジェクト）に対してＩＤ番号（登録すべきＩＤ番号）を登録する入力操作を行うと、そのＩＤ番号を含む指示が入力操作解析部２７からＩＤ番号登録処理部５０に与えられ、ＩＤ番号登録処理部５０が当該ＩＤ番号をメモリ５２内に記憶させる。
【００５２】
図４（ｃ）に示す画面がタッチパネル２６上に表示されているときに、キー４７を押し下げると、図面には示していないが、試運転に関する操作を行うためのキー等のオブジェクトを含む下位の階層の画面が、タッチパネル２６上に表示される。この画面では、例えば、プログラム制御、マニュアル制御及び定値制御のいずれによる試運転を行うかを選択するキーや、当該制御における制御目標値を設定するためのキーや、冷凍機１１、ヒータ装置１２、ＣＯ2供給装置１４及び加湿器１５などの作動状況の表示や、試運転時の温度、湿度及びＣＯ2濃度の測定値などが、表示される。各キーの操作に応答した入力操作解析部２７からの指示に従って、処理部２９は、選択され設定された試運転を行うように冷凍機１１等を制御し、冷凍機１１、ヒータ装置１２、ＣＯ2供給装置１４及び加湿器１５などの作動状況を示すデータや温度、湿度及びＣＯ2濃度の測定値を示すデータを表示制御部２８に与え、表示制御部２８は当該作動状況や当該測定値等がタッチパネル２６上に表示されるようにタッチパネル２６を表示制御する。この試運転の結果により、前記制御性能に関する制御パラメータ、制御サイクル時間及び制御設定値範囲等の設定を最適に行うことができる。
【００５３】
図４（ｃ）に示す画面がタッチパネル２６上に表示されているときに、キー４８を押し下げると、図面には示していないが、当該調節計２５の自己診断結果を示す画面が、タッチパネル２６上に表示される。この表示は、キー４８に応答して入力操作解析部２７がその指示を処理部２９及び表示制御部２８に与え、処理部２９が表示制御部２８にメモリ５３に格納されている自己診断結果を示すデータを表示データとして与えるように動作し、表示制御部２８が当該自己診断結果の画面表示を行わせるようにタッチパネル２６を表示制御することによって、行われる。なお、処理部２９の一部が、調節計２５内のハードウエア及びソフトウエアの処理エラーを監視し、その監視結果を前記自己診断結果としてメモリ５３内に格納させる機能を有している。
【００５４】
以上の説明からわかるように、本実施の形態では、前記タッチパネル２６、入力操作解析部２７及び表示制御部２８は、研究用植物育成装置に所定の動作を開始させるための入力を操作を行う主入力手段、及び、照合すべきＩＤ番号を入力するＩＤ番号入力手段を兼ねている。
【００５５】
ここで、前記ロック制御部５１の動作の一例について、図５を参照して説明する。図５は、ロック制御部５１の動作の一例を示すフローチャートである。
【００５６】
ロック制御部５１は、電源が投入されると動作を開始し、まず、入力操作解析部２７及び表示制御部２８にロック指令を与え、ロック状態にする（ステップＳ１）。また、前記メーカーモードにおいてメインメニューキー４９を押し下げたとき（すなわち、メーカーモードからユーザーモードに戻ったとき）にも、ロック制御部５１は、ステップＳ１から動作を開始する。
【００５７】
次に、ロック制御部５１は、入力操作解析部２７からＩＤ番号を含む指示を受けたか否か、すなわち、図４（ａ）に示す画面においてキー３５が押し下げられて表示された下位の階層の画面においてＩＤ番号が入力されたか否か（つまり、ユーザーモードにおいて操作者がＩＤ番号を入力したか否か）を判定する（ステップＳ２）。ＩＤ番号が入力されてなければ、ステップＳ２を繰り返し、ロック制御部５１はＩＤ番号が入力されるのを待つ。一方、ＩＤ番号が入力された場合は、ステップＳ３に移行する。
【００５８】
ステップＳ３において、ロック制御部５１は、入力されたＩＤ番号を、メモリ５２内に記憶されたＩＤ番号（すなわち、メーカー等により予め登録されたＩＤ番号）と照合して、両者が一致するか否かを判定する。一致していないと判定されると、ステップＳ２に戻る。
【００５９】
一方、ステップＳ３において一致すると判定されると、ロック制御部５１は、入力操作解析部２７及び表示制御部２８に解除指令を与え、ロック状態を解除して解除状態にする（ステップＳ４）。これにより、前述したように、タッチパネル２６上に図４（ｂ）に示す画面が表示されることになる。
【００６０】
次に、ロック制御部５１は計時を開始する（ステップＳ５）。次いで、ロック制御部５１は、キー３９に対する入力操作が行われたか否か、すなわち、強制ロック操作が行われたか否かを判定する（ステップＳ６）。強制ロック操作が行われたと判定されると、ステップＳ１に戻る。一方、強制ロック操作が行われていない場合は、ロック制御部５１は、キー３０〜３４及びこれらに対応する下位の画面のオブジェクトのうちのいずれかに対して入力操作が行われたか否かを判定する（ステップＳ７）。当該入力操作が行われた場合は、ステップＳ５に戻り、再度計時を開始する。一方、ステップＳ７において当該入力操作が行われないと判定されると、ステップＳ５で計時を開始してから所定時間が経過したか否か、すなわち、ユーザーモードにおいて解除状態になった後に所定の入力操作が行われなかったか否かを判定する（ステップＳ８）。所定時間経過していなければ、ステップＳ６に戻る。一方、ステップＳ８において所定時間経過したと判定されると、ステップＳ１に戻る。
【００６１】
本実施の形態によれば、メーカー等が、前述したように前記メーカーモードにおいてキー４６等に対して入力操作を行うことによって、メモリ５２に所定のＩＤ番号（例えば、植物の育成者等の本来のユーザーが望むＩＤ番号）を予め登録しておき、当該登録したＩＤ番号を植物の育成者等の本来のユーザーにのみ報せておく。当該ユーザーは、研究用植物育成装置の使用に際して、前述したように前記ユーザーモードにおいてキー３５等に対して入力操作を行うことによって、登録されたＩＤ番号を入力する。この場合、前記ユーザーモードにおいて入力されたＩＤ番号はメモリ５２に予め登録されたＩＤ番号と一致するので、図５中のステップＳ３において両者が一致すると判定され、前述した解除状態となり、研究用植物育成装置の運転状態に影響を与える操作に関連するキーを含むキー３０〜３４に対する入力操作も有効となる。したがって、登録されたＩＤ番号を知っている本来のユーザは、研究用植物育成装置に対して、研究用植物育成装置の運転に影響を与える動作を含む所望の動作を開始させることが可能である。いたずらを行う第三者等の登録ＩＤ番号を知らない者は、登録されたＩＤ番号を入力し得ないことから、たとえキー３５等を操作して何らかのＩＤ番号が入力されても、当該ＩＤ番号はメモリ５２に記憶されたＩＤ番号と一致しないので、図５中のステップＳ３において一致しないと判定され、前述したロック状態が継続され、研究用植物育成装置の運転状態に影響を与える操作に関連するキーを含むキー３０〜３４に対する入力操作が無効のままである。したがって、第三者は、研究用植物育成装置に対して、研究用植物育成装置の運転に影響を与える動作を開始させることができない。その結果、本実施の形態によれば、操作方法を十分に習得していない者による誤操作や第三者によるいたずらの操作などによって所望の環境下で植物を育成することができないという事態を未然に防止することができる。
【００６２】
また、本実施の形態によれば、前記ユーザーモードにおいて一旦前記解除状態となった後に、ユーザーが望む任意の時点で再びロック状態にすることができる（図５中のステップＳ６参照）ので、好ましい。さらに、本実施の形態によれば、前記ユーザーモードにおいて一旦前記解除状態となった後に、所定の入力操作が所定時間行われない場合に、自動的にロック状態に戻る（図５中のステップＳ８参照）ので、好ましい。
【００６３】
さらに、本実施の形態によるユーザーインターフェース装置では、図３に示すように、電源投入時には前記ユーザーモードとなるとともに、メーカー等のみが知っているとともに植物の育成者等の本来のユーザーが知らない前記画面隠し操作（領域３６を所定時間間隔内において連続して３回押し下げる操作）が行われたときにのみ、前記メーカーモードに切り換えられる。そして、ユーザーモードでは、図４（ｂ）に示すメインメニュー画面にメーカー等のみが操作すべきキー４５〜４８に相当するキー等のオブジェクトは表示されず、当該キー４５〜４８に関連する操作（すなわち、ＩＤ番号の登録や、イベント出力の設定や、制御特性に関する制御パラメータ、制御サイクル時間及び制御設定値範囲の設定や、試運転に関する操作や、自己診断に関する操作など）が不能である。一方、メーカーモードでは、図４（ｃ）に示すメニュー画面にキー４５〜４８が表示され、当該キー４５〜４８に関連する操作が可能である。
【００６４】
したがって、本実施の形態によれば、第三者にＩＤ番号を知られるおそれなく、メーカー等がメーカーモードにおいてＩＤ番号の登録を行うことができる。また、植物の育成者等の本来のユーザーが、メーカー等のみが行う操作を誤って行ってしまうおそれがなくなる。このため、誤操作により所望の環境下で植物を育成することができないという事態を未然に防止することができる。また、前記画面隠し操作を行わない限り、前記ユーザーモードのままであってキー４５〜４９に相当するオブジェクトは表示され得ないので、植物の育成者等の本来のユーザーは、メーカー等のみが操作すべき不要で邪魔なオブジェクトに接することはなく、植物の育成者等の本来のユーザーにとって操作方法の習得が容易となる。
【００６５】
以上、本発明の一実施の形態によるユーザーインターフェース装置について説明したが、本発明はこの実施の形態に限定されるものではない。
【００６６】
例えば、前述した実施の形態では、ユーザーモードのロック状態のメインメニュー画面（図４（ａ）に示す画面）において、入力操作が無効になるキー３０〜３４が表示されていたが、当該画面においてこれらのキー３０〜３４の表示を行わずにキー３０〜３４に対応する入力操作自体を不能にしてもよい。
【００６７】
また、前述した実施の形態では、ＩＤ情報としてＩＤ番号が用いられていたが、ＩＤ情報として他のＩＤ情報を用いてもよい。例えば、ＩＤ情報入力手段として、指紋入力装置や声紋入力装置などを用いれば、ＩＤ情報として、ユーザーの指紋の読み取り情報やユーザの声紋などを採用することができる。
【００６８】
また、前述した実施の形態では、前述したロック状態において、研究用植物育成装置の運転に影響のないキー３１（キー３１は、制御状態を表示するためのものであり、研究用植物育成装置の運転には影響がない。）に対する入力操作を無効にしていたが、このキー３１のように研究用植物育成装置の運転に影響のないキーに対する入力操作は、ロック状態であっても有効にしておいてもよい。
【００６９】
前述した実施の形態では、ユーザーモード及びメーカーモードの２つのユーザーインターフェースモードを有していたが、必ずしも、ユーザーインターフェースモードを複数に分ける必要はなく、単一のユーザーインターフェースモードのみを有していてもよい。また、必要に応じて３つ以上のユーザーインターフェースモードを有していてもよい。例えば、第３のユーザーインターフェースモードがある場合には、第１又は第２のユーザーインターフェースモードにおいて、前記画面に対する他の画面隠し操作に応答して第３のユーザーインターフェースモードに切り換えるようにすればよい。この場合、例えば、第１のユーザーインターフェースモードを植物の育成者等の本来のユーザー用のモード、第２のユーザーインターフェースモードをメンテナンス業者用のモード、第３のユーザーインターフェースモードをメーカー用のモードとしておくことができる。
【００７０】
さらに、本発明によるユーザーインターフェース装置を適用し得る植物育成装置は前述した例に限定されないことは、勿論である。
【００７１】
【発明の効果】
以上説明したように、本発明によれば、操作方法を十分に習得していない者による誤操作や第三者によるいたずらの操作などによって所望の環境下で植物を育成することができないという事態を未然に防止することができる。
【図面の簡単な説明】
【図１】本発明の一実施の形態によるユーザーインターフェース装置を有する研究用植物育成装置の一例を示す概略縦断面図である。
【図２】図１に示す研究用植物育成装置を示すブロック図である。
【図３】前記実施の形態によるユーザーインターフェース装置のモード遷移図である。
【図４】画面の例を示す図であり、図４（ａ）はユーザーモードにおけるメインメニュー画面であってロック状態のメインメニュー画面の一例を示す図、図４（ｂ）はユーザーモードにおける解除状態のメインメニュー画面の一例を示す図、図４（ｃ）はメーカーモードにおけるメインメニュー画面の一例を示す図である。
【図５】ロック制御部の動作の一例を示すフローチャートである。
【符号の説明】
１  育成室
２  ランプ室
１１  冷凍機
１２  ヒーター装置
１３  送風機
１４  ＣＯ2供給装置
１５  加湿器
１６  照明装置
１９  ランプ室用送風機
２０  ランプ室用冷凍機
２１  温度センサ
２２  湿度センサ
２３  ＣＯ2濃度センサ
２４  ランプ室用温度センサ
２５  調節計
２６  タッチパネル
２７  入力操作解析部
２８  表示制御部
２９  処理部
３０〜３５，３９〜４９  キー（オブジェクト）
３６  領域
５０  ＩＤ番号登録処理部
５１  ロック制御部
５２，５３  メモリ
【図１】
0003798092.tif 000002
【図２】
0003798092.tif 000003
【図３】
0003798092.tif 000004
【図４】
0003798092.tif 000005
【図５】
0003798092.tif 000006